(57)【特許請求の範囲】
【請求項１】
波力発電を用いたマーキングブイ装置であって、
支持ディスク(20)に連結された状態で上下部支持ロッド(12)(14)内を上下運動する軸(34)によって駆動される発電機(40)と、バッテリー(50)とを含む作動手段が、フローティングボディー(30)とは別途の空間部を持つギアボックス(32)に収容され、マーキングランプ(10)を発光させる波力発電を用いたマーキングブイ装置において、
前記上下部支持ロッド(12)(14)の下端に一対のガイドロッド(18)が垂直に結合されていて、支持ディスク(20)を上下運動できるように支持する支持ユニットと、
前記ギアボックス(32)の内部に収容される軸(34)と発電機(40)との間の密封を維持するためのケーシング(36)(46)と、
を備えたことを特徴とする波力発電を用いたマーキングブイ装置。
【請求項２】
ガイド溝等が上部支持ロッドの内部に形成されており、パーテーション壁(wall)がガイド溝等に結合され、電気ライン等が前記パーテーション壁によって形成された所定の空間内部に收容されることを特徴とする、請求項1に記載の装置。
【請求項３】
上部スプリング調整ボルト（55）、軸(34)の上部に連結されたスプリング（39）及び下部スプリング調整ボルト（56）が、前記上部支持ロッド（12）内部に順次に構成され、前記スプリングの上下部端部は上部スプリング調整ボルトのホール（57）及び下部スプリング調整ボルトのホール（57）におのおの取りつけられていることを特徴とする、請求項1に記載の装置。
【請求項４】
前記軸(34)と発電機(40)との間の密封を維持するためのケーシングは、第1ケーシング（36）と第2ケーシング（46）とを備えており、
前記第1ケーシング（36）の開口部（36a）と第2ケーシング（46）の開口部（46a）との間にはパッキング(46b)が介在されており、
ピニオン（44）の軸は、第2ケーシング（46）の開口部（46c）に結合される外周面にV形状の溝が形成されているVリング（46d）を介して防水可能に前記第2ケーシング（46）内に收容されたことを特徴とする、請求項1に記載の装置。
【請求項５】
加速ギア及び従動ギアはピニオン(44)に連結されるギアボックスのギアボックスフレーム(45)(65)内に構成され、前記従動ギア(42)は発電機(40)に連結されることを特徴とする、請求項1に記載の装置。
【発明の詳細な説明】
【技術分野】
【０００１】
本発明はマーキングブイ装置に関するもので、より詳細には波エネルギーを電気エネルギーに変換させて発光効率を高め、マーキングブイ装置の基本構成等が荒い海の気象条件でも故障なく作動できるようにし、改善された耐久性を有する波力発電を用いたマーキングブイ装置に関するものである。
【背景技術】
【０００２】
一般的に、マーキングブイ等は夜間に発光のため海に設けられる。上記マーキングブイ等は船舶に安全な航路をガイドして人間に損傷を与えず、又材料に被害を与えないようにする役割をする。又、マーキングブイ等は魚類資源の枯渇のため、生計手段として農場を営む漁夫等に漁網の位置をより効果的に知らせるに用いられる。従って、マーキングブイに対する需要は段々増加しつつある。
【０００３】
もし、マーキングブイが発光のため、電源としてバッテリーを用いると、使用されるバッテリーは、しばしば入れ替わなければならず、又バッテリーのメンテナンスが必要であって使用するに不便であった。それ故に、その利用が低調であり、メンテナンスに従う不便が高い。結果的に、マーキングブイの別途の電源発生手段が必要である。上記の問題を解決するため、波力発電機(波の動力学エネルギーを利用)を提供して、バッテリーを隨時に充電する方法が提案された。
【０００４】
しかし、波の荒い程度及び頻度が一定でなく、その変化が地域及び季節によって主な問題になり、従って波力発電を通じた電源利用の効率が重要な問題になっている。波力発電機が強い風を伴う悪い気象条件下で故障なく作動し、追突及び海水の侵入による損害を防止できるように、マーキングブイ等は保護されなければならない。しかし、上記に記述した問題点に対する解決策が従来マーキングブイ等には提供されていない。
【発明の開示】
【０００５】
従って、従来の問題点を考慮した本発明の目的は、波力発電を用いたマーキングブイ装置を提供するもので、上記装置は波エネルギーを電気エネルギーに変換させて発光効率を高め、マーキングブイ装置の基本構成が荒い海の気象条件でも故障なく作動できるようにし、改善された耐久性を有するものである。
【０００６】
上記の目的を達成するため、本発明のマーキングブイ装置は波を利用して発電し、発電された電源をバッテリーに貯蔵し、マーキングランプに電源を提供する、波力発電を用いたマーキングブイ装置を提供し、上記波力発電を用いたマーキングブイ装置は上、下部支持ロッド及び一対のガイドロッド等が互いに垂直に結合されていて、上記マーキングランプは上記の上部支持ロッドの上部に設けられている支持ユニットと;下部方向に屈曲形成されており、ガイドロッド等が上、下方向に運動するようにする支持ディスクと;上記支持ディスクに取りつけられた軸及びフローティングボディーの相対移動を用いて発電機を駆動し、バッテリー充電制御器を通じてバッテリーに充電するための作動手段と;上記支持ユニットの中央部に取りつけられ、所定の浮力を発生させるため円筒型に形成され、別途の空間に上記作動手段を防水可能に收容するため利用される浮力ユニット;及び上記マーキングランプを予め設定されたフリッカー間隙で作動させるため、上記の上部支持ロッド上に設置されたフリッカー制御器を備えることを特徴とする。
【０００７】
又、ガイド溝等が上部支持ロッドの内部に形成されていて、パーテーション壁(wall)がガイド溝等に結合され、電気ライン等が上記パーテーション壁によって形成された所定の空間内部に收容されることを特徴とする装置。
【０００８】
一実施例において、上記浮力ユニットはフローティングボディーから上部方向に突出されたギアボックスを備え、ケーシングを介して上記ギアボックスは防水されることを特徴とする装置。
【０００９】
更に他の実施例において、上記浮力ユニットは上記フローティングボディーの上部に位置するギアボックスを備え、ケーシングを介して上記ギアボックスは防水されることを特徴とする装置。
【発明を実施するための最良の形態】
【００１０】
参照番号が図面に付けられており、上記番号の中で同一な参照番号が同一、又は類似な構成要素等を示すため、他の図面全体を通じて使用された。
【００１１】
第1図は本発明の好ましい実施例によるマーキングブイ装置を示す展開斜視図である。第2のa及びb図は組立てられた状態のマーキングブイ装置を示す正面図及び上面図である。第2のc図は第1図のマーキングブイ装置のギアボックスを示す拡大斜視図である。
【００１２】
本発明は波のエネルギーを利用して電力を発生させ、発電された電力をバッテリー(50)に貯蔵し、マーキングランプ(10)に電源を供給することができる装置に関するものである。マーキングランプ(10)は直流電源作動ランプであり、反射鏡を備えることもできる。バッテリー(50)は直流1.5V〜直流24V範囲の容量を有する。直流12Vが最も望ましい。海洋のエンジン用直流24Vの容量は望ましく使用されることができる。
【００１３】
本発明は支持ユニットを備えている。上記支持ユニットは上、下部支持ロッド(12及び14)を備えており、一対の、又はガイドロッド(18)は互いに垂直に結合される。マーキングランプ(10)は上記の上部支持ロッド(12)の上部に設置され、フランジ(70)は上部支持ロッド(12)の底部に設けられる。上部支持ロッド(12)の詳細構成は第3図に示されている。ネジ部(14a)は下部支持ロッド(14)の上部に設けられており、フランジ(71)は上記下部支持ロッド(71)の中央に設けられており、眼鏡フレーム形状の固定部(16)は下部支持ロッド(14)の底部に一体に形成されている。一対のガイドロッド(18)は固定部(16)及び固定要素(26)によって下部支持ロッド(14)の下部に垂直に、又平行に構成されている。ここで、ガイドロッド(18)は一対のガイドロッドで構成されておらず、3個のガイドロッドで構成されることもできる。一対のガイドロッド(18)はケーブルホール(hole)(100)とショックアブソービング(shockabsorbing)溝(depression)(101)を有する眼鏡フレーム形状の固定要素(26)によって平行に支持される。より詳細には、固定要素(26)はアンカーケーブル(110)の一段部を固定するためのケーブルホール(100)と、又固定部(16)及び支持ディスク(20)との間で衝撃を減少させるため、支持ディスク(20)の底部に固定されたダンピング要素(102)を收容するためのショックアブソービング溝(101)を備えている。ここで、ショックアブソービング溝(101)及びダンピング要素(102)は支持ディスク(102)が固定要素(26)と突然衝突する場合を備えて提供されている。直線形状の上、下部支持ロッド(12及び14)及びガイドロッド(18)全部は中空のチューブになっている。特に、ガイドロッド(18)は機械的に優れた強度及び耐食性を有する鋼鉄材料(ステンレススチール)になっている。
【００１４】
支持ディスク(20)によって、ガイドロッド(18)が引き上げられ、又下降する作用をする。従って、支持ディスク(20)の両側面部を貫通するガイドロッド(18)が引き上げられ、下降運動する間に、支持ディスク(20)がガイドロッド(18)を支持することになる。換言すると、フローティングボディー(floatingbody)(30)が波によって引き上げられることで、ガイドロッド(18)は上記フローティングボディー(30)と共に引き上げられる。同時に、支持ディスク(20)は海水の圧力と浮力の均衡によって原位置に維持され、上記支持ディスク(20)に堅固に固定された軸(shaft)(34)は移動不能状態に固定される。これと異って、フローティングボディー(30)に連結されたガイドロッド(18)はフローティングボディー(30)と共に引き上げられ、電源かギアボックス(32)内の多様な要素等によって、発生することになる。支持ディスク(20)の支持機能が増加するに従って、ガイドロッド(18)の上側移動が増加される。従って、電力発生効率の面で、支持ディスク(20)は重く、フローティンボディー(30)が軽くなるように形成することが望ましい。支持ディスク(20)は下部方向に屈曲形成されるか、又は平らに形成される。ひいては、複数個の支持ディスク(20)が提供されることができる。上記の構成は第6図を参照して後に詳細に説明することにする。
【００１５】
第2a図に示されたように、ガイドブッシュ(bushes)(112及び113)は下部支持ロッド(14)の上、下部に設けられており、ガイドブッシュ固定ブラケット(114)は上記下部ガイドブッシュ(113)の下部に設けられている。固定ボルト(tighteningbolt)(90)は支持ディスク(20)を軸(34)に堅固に取りつけるため、支持ディスク(20)を介して軸(34)の下端内に固定される。結合ボルト(93)はナット(94)内に固定され、支持ディスク(20)の上部及び底部上に提供されたステンレス鋼ワッシャー(91)及びブラケット(92)は上記ボルトの間に各各結合される。側面固定ボルト(95)は軸(34)を介して延長されるブラケット(92)の両側面を介して固定され、ゴムのような材料でなるバッファーリング要素(102)が側面固定ボルト(95)上部に位置する。又、支持ディスク(20)を軸(34)に固定する方法は多いですが、その作用及び効果は上記に記述された方法と類似であるので詳細な説明は省略する。
【００１６】
本発明によると、作動手段が提供される。上記作動手段には、軸(34)及びフローティングボディー(30)の相対移動によって発電機が作動し、バッテリー(50)はバッテリー充電制御器(52)によって充電される。ラック(34a及び34a')を備える軸(34)は下部支持ロッド(14)内に收容され、その下段部ではフローティングボディー(30)の中央部に連結され、その上端部ではスプリング(39)に連結される。発電機(40)がラック(34a及び34a')とピニオン(44)の相互結合によるラック/ピニオン作動によって駆動される構成は従来技術と同一であっても、本発明による作動手段はピニオン(44)及び発電機(40)の間に提供される加速(speed up)ギア(42)及び駆動ギア(43)を備える。
【００１７】
ひいて、本発明による作動手段は発電機(40)及びバッテリー(50)の間にバッテリー充電制御器(52)を備える。バッテリー充電制御器(52)は電圧の勢いを利用して電流の勢いを調整するためのレギュレーター(regulator)の機能と、バッテリー(50)が予め設定された電圧で充電されると過充電を防止するための機能を果たす。本発明によるレギュレーター(40)は正方向及び逆方向に作動するため、バッテリー充電制御器(52)は発電機(40)の正方向及び逆方向に作動する間に、電源出力を整流する機能を果たす。
【００１８】
本発明は浮力ユニット(4)を備える。上記浮力ユニット(4)は浮力を発生するため、支持ユニットの中央部に取りつけられた円筒型構造を備え、別途の空間に作動手段を封止可能に收容する。本発明の好ましい実施例によって、浮力ユニット(5)はフローティングボディー(30)の上部から上部方向に突出されたギアボックス(32)を備えている。ここで、ギアボックス(32)内の封止はケーシング(36及び46)を用いて具現される。第2a図に示されたように、上部支持ロッド(12)の上部フランジ(70)はギアボックス(32)のカバー(38)に取りつけられており、下部支持ロッド(14)の中央フランジ(71)はフローティングボディー(30)の底部に取りつけられている。下部支持ロッド(14)の上端部はギアボックス(32)の底部に取りつけられている。第1ケーシング(36)はギアボックス(32)内に上、下部支持ロッド(12及び14)と同軸に設けられている。上、下部ロッド(12及び14)は互いに直接に連結されておらず、第1ケーシング(36)を通じて互いに連結されている。ケーシング(36及び46)は互いに結合された軸(34)及びピニオン(44)のラック(34a又は34a')を收容し、封止するための重要な要素等である。その詳細な構成は第5図を参照して詳細に記述すると以下の通りである。
【００１９】
第2b図に記述されたように、バッテリー(50)及び発電機(40)は軸(34)に対して互いに対称的であり、バッテリー(50)はバッテリー固定(fastening)要素(59)によって固定されている。バッテリー(50)はギアボックス(32)内の位置と別の位置に設置されることができる。ラック(34a及び34a')及びピニオン(44)はケーシング(36及び46)内に設けられており、加速ギア(42)及び従動ギア(43)はギアボックスフレーム(45)上に設けられている。それらは各各互いに連動して作動する。ステップモータ又はそれと同一な部材又は上記ステップモータより優れたモータが発電機として望ましく使用されることができる。加速ギア(42)の回転速度に対するラック(34a及び34a')の回転速度割合は望ましくは1:1:1である。従動ギア(43)の回転速度に対する加速ギア(42)の回転速度の割合は望ましくは1:3である。しかし、上記の割合は調整可能である。電力発生の量は従動ギア(43)の回転速度に対する加速ギア(42)の回転速度の割合に比例する。従動ギア(43)は必要不可欠なものではない。従って、波のエネルギーが高いときは、過充電を防止するため含まない場合もある。逆の場合に、第2、第3の従動ギアが 追加に設置されることができる。
【００２０】
ギアボックス(32)内で、参照番号81及び82は加速ギア軸と ボールベアリングを示し、参照番号83は加速軸とボールベアリングを固定するための固定ブラケットを示し、参照番号84は従動ギアを示し、参照番号85及び86はモータ及びボールベアリングを固定するための支持ロッドを示し、参照番号87及び88は更に他の固定ブラケット及びカップリングを称する。フローティングボディー(30)で、参照番号31及び61はつまみを示し、使用者が装置を移動させて上へ引き上げる時、本発明による装置をより容易に取ることができるようにする。
【００２１】
又、本発明はマーキングランプ(10)が予め設定されたフリッカー(flicker)間隙で作動できるように、上部支持ロッド(12)に設置されるフリッカー制御器(54)を備える。ランプ(54a)は上記フリッカー制御器(54)上部に設置され、マーキングランプ(10)内に挿入される。フリッカー制御器(54)は集積回路(Ic)又は時間遅延器で構成されることができる。マーキングランプ(10)のオン/オフ作動は調整つまみ(不図示)によってスイッチングされる。照明センサー(54b)はフリッカー制御器(54)の一側面に設けられ、マーキングランプ(10)が夜間に作動されるようにする。
【００２２】
第3a図乃至第7図は第1図の基本要素等を示す断面、斜視及び上面図である。
【００２３】
第3a図乃至第3c図は本発明の多様な実施例によるラックを示す拡大図である。
【００２４】
第2a図に示された軸(34)において、ラック(34a)はステンレススチール材料又はそれと同一な材料又は上記ステンレススチールより優れた材料(腐食を防止することができる)でなる軸(34)の一側面部に形成されている。第3a図に示されたように、小直径ステンレススチール軸(34b)は軸(34)の上端部に挿入され、軸(34b)及び軸(34)は最初接触位置に溶接され、ロックピン(34c)によって固定される。又、テフロン(Teflon)（登録商標）樹脂でなるラック(34a')は上記小直径軸(34b)にかけて堅固に固定される。このような場合において、ラック(34a')は軸(34b)と共にインサート(insert)方法で製造される。第3b図に示されたように、下部固定ブロック(140)は軸(34)の上端部の内部に挿入され、ステンレススチールでなる小直径軸(34b)は下部の所定のブロック(140)上に結合され、軸(34b)及び下部固定ブロック(140)は最初の接触位置に溶接され、ロックピン(34c)によって固定される。固体樹脂でなるラック(34a')は小直径を有する軸(34b)の外部面上に結合される。ネジ形成された上部固定ブロック(141)は軸(34b)の上部の内部に結合される。第3c図に示されたように、固体樹脂でなるラック(34')は軸(34)の上部の外部面をカバーする。軸(34)は大直径を有する下部と、小直径を有する上部とで構成される。上記に記述した如く、ラック等は多様な形態で製造できるが、第3b図及び第3c図の実施例が望ましい。
【００２５】
テフロン（登録商標）樹脂でなるラック(34a')はピニオン(44)(後に説明される)と結合される。それらが長時間使用されるとしても、ピニオン(44)はテフロン（登録商標）樹脂でなるので、ラック(34a')とピニオン(44)の磨耗は重要でなく、ラック(34a')及びピニオン(44)の磨耗の程度は同一である。従って、それらの寿命は長い。もし、ステンレススチールでなるラック(34a)はテフロン（登録商標）樹脂でなるピニオン(44)と結合され、ピニオン(44)の磨耗の程度はラック(34a)より高い。ラック及びピニオンが同一な材料で成るものが望ましいが、軸(34)は腐食を防止するためステンレススチールでなければならない。ラック及びピニオンが互いに異る材料で形成されるとしても、その結合構造は上部に記述された場合から変更可能である。下部スプリング調整ボルト(56)は軸(34及び34b)の結合構造とは関係なく軸(34及び34b)の上部に挿入される。
【００２６】
第4図はその一側面部が切り欠かれた本発明による上部支持ロッドを示す拡大斜視図である。
【００２７】
ガイド溝(12a)は支持ユニットの上部支持ロッド(12)に沿って形成される。パーテーション壁(13)はガイド溝(12a)内に結合される。電気ライン(15)等は一つの区画に收容される。スプリング(39)は他の区画に收容される。スプリング(39)が上部支持ロッド(12)の内部で上、下部方向へ移動するため、電気ライン(15)等はスプリング(39)の移動によって影響を受けながら、別途の封止空間が形成されて、バッテリー(50)からマーキングランプ(10)で連結された電気ライン(15)を保護することになる。
【００２８】
第5図は上、下部スプリング調整ボルト(55及び56)を示す斜視図である。
【００２９】
複数個の孔(55及び56)が上、下部スプリング調整ボルト(55及び56)内部に形成されている。スプリング(39)の上、下部端部等は孔(57)によって支持される。フローティングボディー(30)が波によって下部へ降り下がると、スプリング(39)はフローティングボディー(30)の重さによって延長される。フローティングボディー(30)が波によって上部へ引き上げられると、スプリング(39)は最初の形態に復元され、従って重いフローティングボディー(30)が上に引き上げられる。結果的に、フローティングボディー(30)は容易に引き上げられ、下部へ降り下げられて、電力発生の効率が増加される。上、下部スプリング調整ボルト(55及び56)はスプリング(39)の張力を調整する機能を果たす。
【００３０】
第6図はギアボックス(32)内のケーシング(36及び46)を示す斜視図である。
【００３１】
第6図で、長方形開口部(36a)は第1ケーシング(36)の一側面に形成されていて、軸(34)のラック(34a又は34a')は上記開口部(36a)を介して露出されている。長方形のパッキング(46b)は防水能力を改善するため、ボックス形状の第2ケーシング(46)の開口部(46a)と第1ケーシング(36)の開口部(36a)との間に提供されている。ピニオン(44)は第2ケーシング(46)内に收容される。ピニオン(44)の軸は、第2ケーシング(46)の開口部(46c)内に結合される外周面にV形状の溝が形成されているVリング(46d)を介して第2ケーシング(46)内に収容されているため防水処理がなされている。上記ピニオン(44)は加速ギア(42)及び従動ギア(43)を介して発電機(40)に連結されている。
【００３２】
従って、海水が下部支持ロッド(14)に侵入してラック(34a又は34a')及びピニオン(44)に至るとしても、ケーシング(36及び46)によって防水がなされている。結果的に、海水がギアボックス(32)、発電機(40)及びバッテリー(50)のような基本的な電子的な部品が安全になる。
【００３３】
第7a図乃至第7d図は本発明の多様な実施例によって多様な支持ディスクを示す図面である。
【００３４】
第7a図及び7b図に示されたように、支持ディスク(20)は下部方向の曲率を有するディスクである。ボス(boss)(20b)は支持ディスク(20)の中央部に形成されていて、通孔(20a)は支持ディスク(20)の両面に形成されている。もし、支持ディスクが所定の曲率がなくディスク形状に形成されているか、又は下部方向の曲率で形成されていると、滓等がその上部により容易に積層される。もし、支持ディスクが図面に示されたようにディスク形状となっていると、支持力はやや減少するが、耐久性は増加する。軸(34)の下段部はボス(20b)に取りつけされ、ガイドロッド(18)等は通孔(20a)に挿入されて上下方向にスライドすることになる。格子形状の玉部(bead)(20c)は支持ディスク(20)の底部に形成される。
【００３５】
第7c図に示されたように、更に他の環形の支持ディスク(21)は中央支持ディスク(20)周りに形成され、ディスク(21)は連結軸(22)によってディスク(20)に連結されている。第6b図に示されたように、複数個の支持ディスク(21)等か中央支持ディスク(20)周りに整列されていて、支持ディスク(21)等は複数個の連結軸(22)によって中央支持ディスク(20)と連結されている。複数個の支持ディスク等が上記のように構成されると、支持ディスク等の支持力は増加し、従ってフローティングボディー(30)の引き上げられる作用及び降り下げる作用はより活発に行われ、従って電力発生量を改善させる。しかし、電力発生量は支持ディスクの数に必ず比例するのではない。
【００３６】
バッファーリング要素(102)が設けられ、支持ディスク(20)上記のような方法で引き上げられ、又降り下げられる時、固定部(16)及び固定要素(26)と衝突する時、バッファーリングを提供する機能を果たす。
【００３７】
第8図は本発明の電気構成を示す斜視図である。
【００３８】
発電機(40)は下部支持ロッド(14)及びフローティングボディー(30)内に位置する軸(34)の相対移動によって作動される。電力が一旦発生されると、電力はバッテリー制御器(52)を介してバッテリー(50)を充電することになる。電気ライン(15)はフリッカー制御器(54)を介してマーキングランプ(10)と連結されている。特立的な電力発生が発電機(40)を介して可能であっても、バッテリー(50)は少なくとも25日乃至30日の間、電源を供給することができるが、その後は電力を発生しなくては、マーキングランプ(10)に電源を供給することができない。従って、フローティングボディー(30)を上下に作動させて発生する電力が必須不可欠である。波が存在する限り、フローティングボディー(30)の上下運動と発電機(40)の特立的な電力発生を得ることができる。充電が過度に行われると、バッテリー(50)が過多に充電されるので、バッテリー充電制御器(52)は過充電を防止することになる。波が弱い場所では、バッテリー充電制御器(52)が省略されることもできる。
【００３９】
第9a図乃至9c図は本発明の多様な実施例によるアンカーケーブルを示す概略図である。
【００４０】
第9a図に示されたように、アンカーケーブル(110)の一段部は眼鏡フレーム形状の固定要素(26)の中央部に形成されたケーブルホール(100)に連結され、アンカーケーブル(110)の他の端部は海の底部と接触するアンカー(111)に固定される。第9b図に示されたように、セメントでなる錘(weight)ボディー(112)はアンカーケーブル(110)の一段部に連結されていて、上記のような構成は海の底部が砂になっているので、アンカーがその機能を果たすことができない場合に有用である。第8c図に示されたように、フローティングボディー(30)の自在な移動が防止できるように、アンカーケーブル(110)の一段部が大きい大きさの網(105)に連結される。結果的、フローティングボディー(30)の自在な移動がアンカーケーブル(110)によって防止できる限り、フローティングボディー(30)は上下運動し、従って電力が発生される。ガイドロッド(18)が支持ディスク(20)の両面に位置する主な理由は、フローティングボディー(30)がジグザグ方法で上下運動する間に、捻じれることなくガイドロッド(18)が上下運動できるようにするためである。アンカーケーブル(110)がケーブルホールに連結されていないが、支持ディスク(20)又はフローティングボディー(30)部に連結される。アンカーケーブル(110)が支持ディスク(20)に連結される場合において、スプリング(39)は荒い海で折れる場合がある。アンカーケーブル(110)がフローティングボディー(30)に固定されている場合、アンカーケーブル(110)は波力によって回転されるフローティングボディー(30)によって捻じれる。結果的に、アンカーケーブル(110)は望ましくは固定要素(26)のケーブルホール(100)に固定される。
【００４１】
第10図は第1図のマーキングブイ装置の作用を示す図面である。
【００４２】
支持ディスク(20)を含む装置の下部は重いので、装置はほとんど垂直の位置を保持することになる。支持ディスク(20)は波の上下運動と関係なく一定の高さを保持することができるが、フローティングブイ(30)は波によって上下運動して、相対運動が生じる。従って、フローティングボディー(30)が上下運動によって、ギア等はピニオン(44)、加速ギア(42)及び従動ギア(43)の順に作動することになり、発電機(40)を作動させる。発電機(40)によって発生された電気はバッテリー(50)に貯蔵され、フリッカー制御器(54)を介して予め設定されたフリッカー間隙でマーキングランプ(40)に電源を供給することになる。
【００４３】
第11図は本発明の他の実施例によって、マーキングブイ装置を示す展開斜視図である。
【００４４】
第12のa及びb図は第11図の組立てられたマーキングブイ装置を示す前面図及び上面図である。
【００４５】
第12のc図は第11図の装置のギアボックスを示す拡大図である。
【００４６】
本発明の更に他の実施例において、浮力ユニット(5)がフローティングボディー(60)の上部に含まれるように、フローティングボディー(60)はギアボックス(62)を備えている。防水空間はケーシング(36及び46)を用いてギアボックス(62)内に形成されている。従って、フローティングボディー(60)及びギアボックス(62)の形状等は第1実施例の該当要素等のそれと互いに異る。ギアボックス(62)が第12a図に示されたように、フローティングボディー(60)に挿入されると、装置の重力の中心が低くなるので、装置は垂直位置に容易に保持される。しかし、発電機(40)及びバッテリー(50)を含む基本電気部品等はそれらが海の表面に近接されるため、防水処理しなければならないとの短所がある。
【００４７】
第11図の構成等は第1図の構成とほとんど同一である。発電機(40)の設置位置が変わると、第1図のギアボックスフレーム(45)の代わりにギアボックスフレーム(65)が必要である。発電機(40)及びバッテリー(50)を均衡的な方法で対称に構成させるため、第12b図及び12c図に示されたように、ギアボックスフレーム(65)の大きさを大きくすることができる。しかし、ケーシング(36及び46)の構成及び作用は第1図のそれと同一である。
【００４８】
又、第11図の実施例において、フローティングボディー(60)の上部に構成されたつまみ(61)の設置方向は第1図の構成から変り、ギアボックス(62)の上部に形成されたカバー(68)の形状は第1図のそれからやや変って、下部支持ロッド(14)は複数個のボルトによって固定される。他の要素等は第1図の該当要素等と同一であり、その作用及び効果等は第1図のそれと同一である。
【産業上の利用可能性】
【００４９】
上記に記述した如く、本発明は波力発電を用いたマーキングブイ装置を提供し、上記装置は波エネルギーを電気エネルギーに変換させて光を発散するに高い効率を有し、装置の基本部品等が良くない海の気象条件下でも故障なく作動できるようにし、その耐久性を改善させる利点がある。
【００５０】
本発明の好ましい実施例等は例示的な目的らのため公開され、当業者によって以下の請求項に公開された本発明の範囲及び精神を逸することなく多様な変更、追加及び交代が可能である。
【００５１】
本発明の上記及び他の目的、特徴及び他の利点は添付された図面と共に以下の詳細な説明からより明らかに理解されるだろう。
【図面の簡単な説明】
【００５２】
【図１】本発明の好ましい実施例によるマーキングブイ装置を示す展開斜視図である。
【図２ａ】組立てられた状態のマーキングブイ装置を示す正面図及び上面図である。
【図２ｂ】組立てられた状態のマーキングブイ装置を示す正面図及び上面図である。
【図２ｃ】図1のマーキングブイ装置のギアボックスを示す拡大斜視図である。
【図３ａ】本発明の多様な実施例によるラック(racks)等を示す拡大断面図である。
【図３ｂ】本発明の多様な実施例によるラック(racks)等を示す拡大断面図である。
【図３ｃ】本発明の多様な実施例によるラック(racks)等を示す拡大断面図である。
【図４】切欠いた側面図を有する本発明による上部支持ロッド(rod)を示す拡大斜視図である。
【図５】本発明によるスプリング及び上、下部スプリング調整ボルトを示す拡大斜視図である。
【図６】本発明によるケーシング(casing)を示す拡大図である。
【図７ａ】本発明による多様な実施例による多様な支持ディスク(discs)を示す図面である。
【図７ｂ】本発明による多様な実施例による多様な支持ディスク(discs)を示す図面である。
【図７ｃ】本発明による多様な実施例による多様な支持ディスク(discs)を示す図面である。
【図７ｄ】本発明による多様な実施例による多様な支持ディスク(discs)を示す図面である。
【図８】本発明による電気構成を示す斜視図である。
【図９ａ】本発明の多様な実施例によるアンカーケーブルを示す図面である。
【図９ｂ】本発明の多様な実施例によるアンカーケーブルを示す図面である。
【図９ｃ】本発明の多様な実施例によるアンカーケーブルを示す図面である。
【図１０】図1のマーキングブイ装置の作動を示す図面である。
【図１１】本発明の更に他の実施例によるマーキングブイ装置を示す展開斜視図である。
【図１２ａ】図１１の組立てられたマーキングブイ装置を示す前面図及び上面図である。
【図１２ｂ】図１１の組立てられたマーキングブイ装置を示す前面図及び上面図である。
【図１２ｃ】図１１の装置のギアボックスを示す拡大図である。
【符号の説明】
【００５３】
４、５  浮力ユニット
１０  マーキングランプ
１２  下部支持ロッド
１４  下部支持ロッド
１６  固定部
１８  ガイドロッド
２０  支持ディスク
２６  固定要素
３０  フローティングボディー
３２  ギアボックス
３４  軸
３４a及び３４a'  ラック
３６  ケーシング
３８  カバー
３９  スプリング
４０  発電機
４２  ギア
４３  駆動ギア
４４  ピニオン
４６  ケーシング
５０  バッテリー
５２  バッテリー充電制御部
５４  フリッカー制御器
５６  調整ボルト
７０  フランジ
８５  モータ
８６  支持ロッド
９１  ワッシャー
９２  ブラケット
９３  結合ボルト
９４  ナット
９５  側面固定ボルト
１００  ケーブルホール
１０１  ショックアブソーピング
１０２  ダンピング要素
１１０  アンカーケーブル
１１２、１１３  ガイドプッシュ
１１４  ブラケット
１４０  下部固定ブロック
１４１  上部固定ブロック
【図１】
0004291852.tif 000002
【図２ａ】
0004291852.tif 000003
【図２ｂ】
0004291852.tif 000004
【図２ｃ】
0004291852.tif 000005
【図３ａ】
0004291852.tif 000006
【図３ｂ】
0004291852.tif 000007
【図３ｃ】
0004291852.tif 000008
【図４】
0004291852.tif 000009
【図５】
0004291852.tif 000010
【図６】
0004291852.tif 000011
【図７ａ】
0004291852.tif 000012
【図７ｂ】
0004291852.tif 000013
【図７ｃ】
0004291852.tif 000014
【図７ｄ】
0004291852.tif 000015
【図８】
0004291852.tif 000016
【図９ａ】
0004291852.tif 000017
【図９ｂ】
0004291852.tif 000018
【図９ｃ】
0004291852.tif 000019
【図１０】
0004291852.tif 000020
【図１１】
0004291852.tif 000021
【図１２ａ】
0004291852.tif 000022
【図１２ｂ】
0004291852.tif 000023
【図１２ｃ】
0004291852.tif 000024